【事件の表示】
　平成１１年特許願第２５８８５２号「疾病マーカー物質簡易小型検出装置」拒絶査定不服審判事件〔平成１３年　３月３０日出願公開、特開２００１−８３１５４〕について、次のとおり審決する。
【結　論】
　本件審判の請求は、成り立たない。
【理　由】
１．本願発明
　本願は、平成１１年９月１３日の出願であって、その請求項１ないし４に係る発明は、その特許請求の範囲の請求項１ないし４に記載された事項により特定されるとおりのものと認められるところ、その請求項１は次のとおりである。（以下、「本願発明」という。）
「【請求項１】（Ａ）疾病マーカー物質をラテックス凝集反応により捕捉する手段、
（Ｂ）該捕捉された疾病マーカー物質を水晶振動子に付着させる手段、
（Ｃ）疾病マーカー物質が付着された水晶振動子を発振しその周波数変化を測定し表示する手段、
　とを結合具備してなり、かつ、
　上記（Ｃ）の疾病マーカー物質が付着された水晶振動子を発振しその周波数変化を測定し表示する手段は、筐体の中に（Ｄ）疾病マーカー物質が付着された水晶振動子を発振させる手段、（Ｅ）該水晶振動子の発振によって発生する発振周波数変化を測定する手段及び（Ｆ）該周波数変化を液晶によって表示する手段が組み込まれ一体化されているものであることを特徴とする疾病マーカー物質簡易小型検出装置。」　
　
２．引用刊行物の記載事項
　原査定の拒絶の理由に引用した刊行物１（特開平６−１３８１２５号公報）には、次の事項が記載されている。
（ａ）測定反応に使用するラテックス等の不溶性担体（３頁段落【００１０】〜【００１２】）
「以下に本発明の詳細を述べる。本発明で用いる不溶性担体粒子としては、本発明の測定を行うときに用いられる液体媒体に実質的に不溶性である有機高分子物質の微粒子、例えばポリスチレン、スチレン−ブタジエン共重合体、・・・塩素化ポリスチレン等のラテックス、またはシリカ、シリカ−アルミナ等の無機酸化物微粒子、有機薄膜を被履したフェライトなどの磁性金属微粒子などが挙げられる。・・・１μｍ以下とされる。
【００１１】該不溶性担体粒子に、測定しようとする抗原または抗体と抗原抗体反応を生じる抗体または抗原を物理的または化学的に吸着させて、抗体または抗原が担持された不溶性担体粒子とされる。ここで、不溶性担体粒子に担持させる抗体または抗原としては・・・ものが使用される。一般に不溶性担体粒子に担持する抗体としては、ウサギ、ヒツジ、ヤギ等の動物由来の多価抗体、モノクローナル抗体などが使用される。一方抗原としては、例えばタンパク質、ポリペプチド、ステロイド、多糖類、脂質、花粉、ダスト等種々のものを用いることが出来る。
【００１２】不溶性担体粒子に、抗体または抗原、特に抗体を担持させる方法としては既に多くの方法が提案されており、・・・官能性基を有する高分子物質のラテックスを用い、このようなラテックスに抗体または抗原を化学的に吸着させることもできる。」
　
（ｂ）水晶振動子（３頁段落【００１３】〜４頁段落【００１４】）
「次に本発明で使用される水晶振動子について説明する。本発明で使用する水晶振動子としては、測定しようとする抗原−抗体反応にかかわる抗原または抗体を表面に固定化しないものを使用することが必要である。・・・更に、発振の安定性を向上させるために電極に接続しているリード線のうち液体媒体中に浸漬する部分は、接着性に優れたシリコン系樹脂等の接着剤などで完全に覆うことが好ましい。
【００１４】さらに、水晶振動子表面へのタンパク質等の非特異的吸着を抑制するために予め測定しようとする抗原−抗体反応にかかわる抗原や抗体以外のタンパク質で表面を被履しておくこともできる。以上のような本発明で使用する水晶振動子の具体例を図１、図２及び図３に示す。・・・また、リード線３の、液体媒体中に浸漬する部分は、接着剤４によって被履されている。」
　
（ｃ）使用される測定装置（４頁段落【００１５】、図４）
「本発明の測定法を行うために使用される測定装置としては、例えば図４に示されるような公知の装置が用いられる。図４において、片面封止型の水晶振動子６は、発振回路、周波数カウンタ及びデータ処理用のマイクロコンピュータによって構成される測定システムに接続される。そして水晶振動子６は、測定時に反応を行う測定用の恒温セル７内へ設置される。恒温セル７内には、液体媒体を撹拌するための撹拌子８が設置され、該撹拌子８を操作するためにマグネットスターラー９が恒温セル７の下部に配置される。本発明の抗原抗体反応の測定法は、以上のような不活性担体粒子、水晶振動子、測定装置等と、測定しようとする分析試料を用いて行われる。」
　
（ｄ）検出対象物質（４頁段落【００２０】）
「以上のような本発明の測定法によれば、未知試料中の種々の抗原または抗体の存在または濃度（量）を検知することが可能である。例えば、分析試料として、ヒトの血清、尿、体液、唾液、細胞抽出液、組織抽出液等を用いて、種々の疾病等の診断を行うことができる。具体的には、Ｃ−反応性タンパク（炎症性疾患等の診断）、リウマチ因子（慢性関節リウマチの診断）、抗ストレプトリジンＯ価（溶血性連鎖球菌感染症等の診断）、フィブリン体分解産物（汎発性血管内凝固症候群の診断）、ヒト絨毛性ゴナドトロビン（妊娠の診断）、α−フェトプロティン（原発性肝癌の診断）、Ｂ型肝炎ウィルス表面抗原（Ｂ型肝炎の診断）、尿中微量アルブミン（腎疾患の診断）、β2−ミクログロブリン（腎不全の診断）などの存在の検知及び定量を精度よく迅速に行うことができる。」
　
（ｅ）実施例（４頁段落【００２１】〜５頁段落【００２２】）
「以下に、本発明の実施例として・・・
基本となる水晶振動子はＡＴカット、９ＭＨｚ（八雲通信社）を用いた。図１は本実施例の水晶振動子の正面図・・・片面封止水晶振動子の感度係数とした。実測の周波数変化の補正は、測定値ΔＦをそのとき用いた片面封止水晶振動子の感度系数Ｋで除すことによって行った。
〈ラテックス溶液の調製〉セラテスタムＡＳＯ−Ｅ（日立化成工業（株）製）１ｍ１に対して、１０ｍＭ燐酸緩衝生理食塩液（ｐＨ６．８、以下ＰＢＳ）を８ｍ１割合で混合調整した。
〈検量線用血清の調製〉ＡＳＯ高値血清１０４０ＩＵ／ｍｌ−ＯＤ280を基準として、希釈した場合はこれにあわせるようＢＳＡを入れた。
〈検量線の作成〉上述の方法で調製したラテックス溶液１．２ｍｌを恒温キュベットに入れ、発振機（自作、ノーマルＴＴＬ方式）、周波数カウンター（岩崎通信社製、ＳＣ−７２０１）、マイクロコンピューター（日本電気、ＰＣ−９８０１）に接続した片面封止型水晶振動子を投入した。・・・
〈ヒト血清を用いた測定〉予め、自動分析機（日立製作所、７１５０型）でＡＳＯを定量した（ダイアヤトロン社製、ＩＡＴＲＯＡＣＥ　ＡＳＯを診断試薬として用いた、レートアッセイ法による定量）２４検体を上述と同じ方法で測定した。その結果を図７に示す。相関係数は０．９５で、よい相関が得られている。」
　
３．本願発明と刊行物１記載の発明との対比
　上記（ａ）〜（ｅ）の記載によれば、刊行物１に記載された水晶振動子を用いた抗原抗体反応の測定に使用される測定装置で検出される物質には、炎症性疾患等の診断に利用されるＣ−反応性タンパクを含む各種の疾病マーカー物質が含まれ、疾病マーカー物質は、反応容器中で抗体又は抗原を担持させたラテックス担体と試料中の抗原又は抗体である疾病マーカー物質との抗原抗体反応によるラテックス凝集の結果捕捉されて水晶振動子に付着し、水晶振動子発振回路の発振周波数の変化として周波数カウンタで検出していることが認められ、実施例に「周波数カウンター（岩崎通信社製、ＳＣ−７２０１）」と記載されているような周波数カウンターが測定結果を表示する表示手段を有することは明らかである。
　したがって、刊行物１に記載された「発振回路」、「周波数カウンタ」は本願発明の「疾病マーカー物質が付着された水晶振動子を発振させる手段」、「該水晶振動子の発振によって発生する発振周波数変化を測定し表示する手段」に相当する。
　そこで、本願発明と刊行物１に記載された発明とは、
（一致点）
（Ａ）疾病マーカー物質をラテックス凝集反応により捕捉する手段、
（Ｂ）該捕捉された疾病マーカー物質を水晶振動子に付着させる手段、
（Ｃ）疾病マーカー物質が付着された水晶振動子を発振しその周波数変化を測定し表示する手段、
　とを結合具備してなり、かつ、
　上記（Ｃ）の疾病マーカー物質が付着された水晶振動子を発振しその周波数変化を測定し表示する手段は、（Ｄ）疾病マーカー物質が付着された水晶振動子を発振させる手段、（Ｅ）該水晶振動子の発振によって発生する発振周波数変化を測定する手段及び（Ｆ）該周波数変化を表示する手段が組み合わされている疾病マーカー物質検出装置。」　
である点で一致するが、次の点で相違する。
（相違点）
　本願発明では、「筐体の中に（Ｄ）疾病マーカー物質が付着された水晶振動子を発振させる手段、（Ｅ）該水晶振動子の発振によって発生する発振周波数変化を測定する手段及び（Ｆ）該周波数変化を液晶によって表示する手段が組み込まれ一体化されているもの」であり、全体として「簡易小型検出装置」であるのに対し、
　刊行物１に記載された発明では、疾病マーカー物質が付着された水晶振動子を発振させる手段、該水晶振動子の発振によって発生する発振周波数変化を測定する手段及び該周波数変化を表示する手段の組み合わせが記載されているとしても、筐体中にこれらを組み込み一体化しておらず、また、周波数カウンターが測定結果を表示する表示手段を有するとしても液晶によって表示することは記載されておらず、全体として「簡易小型検出装置」とは言えない点。
　
４．相違点についての検討
　刊行物１に記載された発明と同様の、検出変量を水晶振動子に影響させて水晶振動子の共振周波数変化から変量を測定する測定装置や検出装置においては、当然に具備している「検出変量による影響を受ける水晶振動子を発振させる手段」、「該水晶振動子の発振によって発生する発振周波数変化を測定する手段」、「該周波数変化を表示する手段」を筐体の中に組み込み一体化して、全体として簡易小型検出装置とすることは本件出願前から周知慣用技術（例えば、実願平４−１１５２４号（実開平５−７３５６０号）のＣＤ−ＲＯＭ、特開昭６１−１４８３３５号公報（この周知例に記載・図示された表示手段が液晶表示手段であることは明らかである。）、参照）であり、水晶振動子と水晶振動子発振回路を離して配置することも周知慣用技術（前記特開昭６１−１４８３３５号公報、実願平２−８７８９号（実開平３−１０１４３７号）のマイクロフィルム、参照））であって、刊行物１に記載された水晶振動子発振回路と周波数カウンターとして上記周知慣用技術を利用することに困難はないから、相違点１に係る本願発明の構成を得ることは当業者が容易になし得たことである。
　そして、本件の明細書に記載された本願発明の作用効果も、刊行物１および周知例の記載から当業者が容易に想到しうるものであって、格別のものではない。
　
５．むすび
　以上のとおり、本件の請求項１に係る発明は、その出願前に国内で頒布された刊行物１に記載された発明および周知慣用技術に基いて当業者が容易に発明をすることができたものであるから、特許法第２９条第２項の規定により特許を受けることができず、他の請求項に係る発明についての検討・判断を示すまでもなく、この出願は拒絶されるべきものである。
　よって、結論のとおり審決する。